(57)【要約】  【課題】  従来の遠投用テンビン籠は、飛行中の風圧や着水のショックで中のコマセが途中で落下し易かった。  【解決手段】  係合離脱可能な下側部材２と上側部材３の二部材からなる中空の遠投用テンビン籠１であり、下側部材２の内部に重り４を設けるとともに下側部材２の下側外部にも外部の重り５を設け外部の重り５は着脱可能に設けられ、かつ下側部材２の係合部２０は、上側部材３の係合部３０との係合において外側になる外係合部２０とし、上側部材３の係合部３０が内側になる内係合部３０とするとともに、下側部材２の外係合部２０に糸用溝７を設けた遠投用テンビン籠によって解決する。【選択図】  図１
2007014302.tif 000002
【特許請求の範囲】
【請求項１】
遠投カゴ釣りに使用する遠投用テンビン籠において、係合離脱可能な下側部材と上側部材の二部材からなる中空の遠投用テンビン籠であり、下側部材の内部に重りを設けるとともに下側部材の下側外部にも重りを設け外部の重りは着脱可能に設けられ、かつ下側部材の係合部は、上側部材の係合部との係合において外側になる外係合部とし、上側部材の係合部が内側になる内係合部とするとともに、下側部材の外係合部に糸用溝を設けたことを特徴とする遠投用テンビン籠。
【発明の詳細な説明】
【技術分野】
【０００１】
この発明は、磯釣りなどにおいて遠投カゴ釣りに使用する遠投用テンビン籠、いわゆる片テンビンとコマセ籠を組み合わせてなる遠投用テンビン籠に関する。
【背景技術】
【０００２】
遠投カゴ釣りに使用する道具は、遠投用のリール付き竿、道糸、浮き、コマセ籠、付け餌用ハリ、ハリス、ハリなどからなり、投げる距離は５０ｍから８０ｍにも達する。そして遠投カゴ釣りは、前述の道具を使用して磯から５０ｍ〜８０ｍ離れた水深１５ｍ以上のタナにいるタイなどを釣るために、磯から直接遠投し、一定の遠さと深さの中でコマセ籠からコマセを放出するとともにコマセ籠に設けている付け餌用ハリなどにより、タイなどの獲物をおびき寄せて釣る方法である。
【０００３】
従来の遠投カゴ釣りに使用する遠投用テンビン籠は、図９に示すように係合離脱可能な下側部材９０と上側部材９１の二部材からなる中空の遠投用テンビン籠であり、下側部材９０の下側外部に重り９４を固定して設けてあり、上側部材９１の係合部分９３を外側にして下側部材９０の係合部分９２を内側にして軽く接している構成であった。
【０００４】
このような従来の遠投用テンビン籠を付けた遠投カゴ釣りは、竿を振ってハリ、浮きや遠投用テンビン籠などを約５０ｍから８０ｍ先のタナまで投げ入れるが、遠投用テンビン籠には、タイなどを誘き寄せるエサを入れておく。更に一般的に遠投用テンビン籠から数本の補助ハリスを付けておく。
【０００５】
遠投され空中を飛行中の遠投用テンビン籠は、下側部材がその内部にある重りにより先行する位置、上側部材が後行の位置で飛行している。
【０００６】
そして海に着水したハリ、浮きや遠投用テンビン籠は、下側部材の内部に設けた重りを下にして海中へ沈み（図５参照）、浮きが立った後（図６参照）、道糸を引くと遠投用テンビン籠の下側部材と上側部材の二部材は離れ中に入れたコマセが海中に放出され（図７及び図８参照）、この状態で付け餌を付けたハリはコマセと同調してタイなどを誘って釣る。
【非特許文献１】月刊雑誌「磯・投げ情報」２００５年６月号
【発明の開示】
【発明が解決しようとする課題】
【０００７】
しかしながら、従来の遠投カゴ釣りに使用する遠投用テンビン籠であると、投げ入れ後、５０ｍ〜８０ｍ先のタナまでの飛行中に下側部材と上側部材が開いてしまい、中に詰めてあるコマセが途中で落ちてしまいやすかった。また海水面に着水したときにもそのショックで下側部材と上側部材が開いてしまい、中に詰めてあるコマセが海水面近くで散ってしまい、一定の深さのタナにおいてコマセを蒔くことができない問題点があった。
【０００８】
特に、遠投用テンビン籠に補助ハリを数本付ける場合が通常多いが、この数本の補助ハリの糸が、下側部材と上側部材との間から外に出ているため、より下側部材と上側部材との係合が外れやすかった。
【０００９】
また、係合をしっかりしすぎると海中に沈み浮きにより一定の深さのタナで静止後、道糸をたぐり下側部材と上側部材との係合を外そうとしても、外れなくなってしまう課題があった。
【課題を解決するための手段】
【００１０】
上記課題を解決するため、遠投カゴ釣りに使用する遠投用テンビン籠において、係合離脱可能な下側部材と上側部材の二部材からなる中空の遠投用テンビン籠であり、下側部材の内部に重りを設けるとともに下側部材の下側外部にも重りを設け外部の重りは着脱可能に設けられ、かつ下側部材の係合部は、上側部材の係合部との係合において外側になる外係合部とし、上側部材の係合部が内側になる内係合部とするとともに、下側部材の外係合部に糸用溝を設けたことを特徴とする遠投用テンビン籠を提案する。
【発明の効果】
【００１１】
この発明によれば、テンビン籠の二部材の係合が、飛行中の風圧や着水のショックにより外れることを防止することができ、かつ下側部材の内部に重りを設けているので着水後、一定の深さのタナに沈んだ後に下側部材をよりスムースに沈ませ上側部材から外し、内部のコマセを海中に放出することができる。
【００１２】
特に、補助ハリ用の糸用溝を設けているため、従来のようにテンビン籠に補助ハリを付けても二部材の係合が外れやすくなることがなくなった。
【発明を実施するための最良の形態】
【００１３】
次に、この発明を実施形態を示す正面分解図である図１、飛行中の正面説明図である図２、着水後の説明図である図３に基づいて説明する。
【００１４】
１は、この発明の遠投カゴ釣りに使用する遠投用テンビン籠である。遠投用テンビン籠１は、係合離脱可能な下側部材２と上側部材３の二部材からなり、中間部を中空の円筒状とし両端部が円錐状の籠である。ここに下側、上側の区別は、遠投用テンビン籠１が着水した状態で上側になるのが上側部材３であり、下側になるのが下側部材２である。下側部材２は、円錐状部のみからなり、内部に１号乃至２号程度の重量の内部の重り４を設けるとともに、円錐底部に当たる上側に円盤部２１を設けている。さらに下側部材２の下側に着水時に下側となる外部の重り５を設ける。外部の重り５は、遠投用テンビン籠１の両端の円錐頂点の間を通って籠長手方向中心部を貫通している針金６の先端に着脱可能に設けらる。
【００１５】
下側部材２の係合部２０は、上側部材３の係合部３０との係合において外側になる外係合部２０として構成する。上側部材３の係合部３０は、下側部材２の外係合部２０の内側になって係合する内係合部３０として構成する。外係合部２０の幅長の方が内係合部３０の幅長の方より数ｍｍ長く形成する。この実施例では外係合部２０の幅長が４ｍｍ、内係合部３０の幅長が３ｍｍ前後である。
【００１６】
下側部材２の外係合部２０には、糸用溝７を複数設けている。糸用溝７の深さは外係合部２０の幅長と同じであり円周幅は５ｍｍ前後のＵ字溝に形成する。下側部材２と上側部材３が確実に係合状態でも糸穴７０が残る深さを有する。糸用溝７は、この実施例では、ほぼ等間隔に４つ設けているが、２〜８程度の数を設けることもできる。
【００１７】
８は、遠投用テンビン籠１の針金６に着脱可能に取り付けられ糸用溝７の糸穴７０から外側に取り付けられる補助ハリである。補助ハリ８は、この実施例では４本の糸の先に設けている。
【００１８】
次に、この発明の遠投カゴ釣りに使用する遠投用テンビン籠１の使用方法について説明する。遠投用テンビン籠１が取り付けられている図４に示すような遠投投げ釣り用竿１００には、竿に取り付けられたリール１０１、リール１０１に巻き取られる道糸１０２に浮き１０３、シモリ玉１０４、マーキングストッパー１０５を介して取り付けられる遠投用テンビン籠１、マーキングストッパー１０５からクッションゴム１０６，ハリス１０７を介して主ハリ１０８が取り付けられている。
【００１９】
そして、遠投用テンビン籠１の下側部材２と上側部材３を開けて、その中にコマセを押し込める。主ハリ１０８と、補助ハリ８には小エビ等のエサが付けられる。補助ハリ８は、下側部材２と上側部材３が係合された後の糸穴７０から外に出ている状態になる。
【００２０】
この状態で、竿１００を振って外部の重り６の重さにより遠投用テンビン籠１などを５０ｍ〜８０ｍ先まで飛行させる（図２参照）。飛行先は矢印Ｆ方向である。このとき遠投用テンビン籠１は、下側部材２が外部の重り６の方向に押し付けられて先行する位置にある。外部の重りは着脱可能なので、投げやすい重さの重りに適宜変更して装着できる。係合部で言えば下側部材２の外係合部２０が先行しているので、飛行中、風は上側部材３の内係合部３０から中に入ることはなく、その外側を通り過ぎる。また補助ハリ８の糸が係合状態を損なうことがない。そのため飛行中にあおられて係合している二部材が離れることがない。
【００２１】
また、着水後は、下側部材２の外部の重り６により早急にタナまで沈み、竿１００を引くことで上側部材３を下側部材２から外し、テンビン籠１内のコマセを海中に放出することができる。このとき下側部材２は、内部の重り４によって容易に沈むので上側部材３との係合が解除できるとともに円盤部２１があるので上側部材３内のコマセが、下側部材２の円錐内部に入り込むのを防いでいる。
【産業上の利用可能性】
【００２２】
磯からの投げ釣り、特に遠投用の投げ釣りに利用可能性が高い。
【図面の簡単な説明】
【００２３】
【図１】この発明を実施形態を示す遠投用テンビン籠の正面分解図
【図２】同じくこの発明を実施形態を示す遠投用テンビン籠の飛行中の正面説明図
【図３】同じくこの発明を実施形態を示す遠投用テンビン籠の着水後の説明図
【図４】一般的な遠投用テンビン籠が取り付けられている遠投投げ釣り用竿
【図５】遠投用テンビン籠の着水からアタリ待ちまでの動きを示す説明図
【図６】遠投用テンビン籠の着水からアタリ待ちまでの動きを示す説明図
【図７】遠投用テンビン籠の着水からアタリ待ちまでの動きを示す説明図
【図８】遠投用テンビン籠の着水からアタリ待ちまでの動きを示す説明図
【図９】従来の遠投用テンビン籠の正面分解図
【符号の説明】
【００２４】
１  遠投用テンビン籠
２  下側部材  
２０  外係合部
２１  円盤部
３  上側部材  
３０  内係合部
４  内部の重り
５  外部の重り
６  内部貫通する針金
７  糸用溝
７０  糸穴
８  補助ハリ
１００  投げ釣り用竿
１０１  リール
１０２  道糸
１０３  浮き
１０４  シモリ玉
１０５  マーキングストッパー
１０６  クッションゴム
１０７  ハリス
１０８  主ハリ
【図１】
2007014302.tif 000003
【図２】
2007014302.tif 000004
【図３】
2007014302.tif 000005
【図４】
2007014302.tif 000006
【図５】
2007014302.tif 000007
【図６】
2007014302.tif 000008
【図７】
2007014302.tif 000009
【図８】
2007014302.tif 000010
【図９】
2007014302.tif 000011